Podtech/llm-jp-corpus-v4-ja_patent huggingface dataset:
(57)【要約】【課題】  ティシュボックスを、一定の場所に保持するホルダーを提供する。【解決手段】  ティシュペーパーの入った箱を収容するための縦長状の筐本体の正面に縦長状の取り出し穴を設け、筐本体の上面を開口し、筐本体の上縁に折り曲げ部を介して筐本体の延長となる折り曲げ片を設け、折り曲げ片は筐本体の内側内折り曲げ自在とし、筐本体の底面部は底板を4枚の組み立て片に分割し、組み立て片が重合することにより底面部を形成し、筐本体の上面部の開口部よりティシュボックスを挿入自在となしたティシュボックスのホルダーで、以上の構造よりティシュボックスを一定任意の場所に取り付けを可能にする、組み立て式ホルダー。【選択図】  図１
2010254317.tif 000002
【特許請求の範囲】
【請求項１】
ティシュペーパーの入った箱を収容するための縦長状の筐本体の正面に縦長状の
取り出し穴を設け、筐本体の上面を開口し、筐本体の上縁に折り曲げ部を介して筐
本体の延長となる折り曲げ片を設け、折り曲げ片は筐本体の内側内折り曲げ自在と
し、筐本体の底面部は底板を4枚の組み立て片に分割し、組み立て片が重合するこ
とにより底面部を形成し、筐本体の上面部の開口部よりティシュボックスを挿入自
在となしたティシュボックスのホルダーで、以上の構造よりティシュボックスを一
定任意の場所に取り付けを可能にする、組み立て式ホルダー。
【発明の詳細な説明】
【技術分野】
【０００１】
この発明は、ティシュペーパーの入った箱（以下ティシュボックスと略す）を一定任意の位置に保持する、組み立て式ホルダーに関するものである。
【背景技術】
【０００２】
従来、ティシュボックスは、決まった場所に置かれることは少なく、適当な所に置かれており、一定任意の場所に保持するホルダーはなかった。従って、ある時は置き場所により邪魔になったり、必要時に見つからないので、探すのに手間がかかったり、又は見つからないことがあった。
【発明の概要】
【発明が解決しようとする課題】
【０００３】
これには次のような課題があった。
ティシュボックスを一定任意の場所に簡便に保持し、またティシュペーパーの使用後は簡便に同じ位置で、空のボックスと新品の取替えができるようにすること。
本発明は、上記のような欠点をなくすためになされたものである。
【課題を解決するための手段】
【０００４】
厚紙、又はプラスチックシート等で、市販のティシュボックスを保持するホルダー
を作成し、これにティシュボックスを入れることにより、一定任意の位置にティシ
ュボックスを保持するホルダー。
【発明の効果】
【０００５】
本発明は、簡単に組み立てられ、任意のどこにでも画鋲、ビス、あるいは両面テープで簡単に取り付けることが可能となる。垂直に取り付けるだけでなく、水平あるいはテーブルの裏面に下向けに取り付けることも可能である。従って、常にティシュボックスは一定の位置に保持されていると同時に、ティシュペーパーを使い切れば新品との取替えが極めて簡単に行える構造となっている。さらに、組み立て以前は扁平にしておけるので、梱包、在庫及び輸送時などのコストが削減できる。
【図面の簡単な説明】
【０００６】
【図１】本発明の斜視図
【図２】本発明の展開図
【図３】本発明の組み立て後の底面斜視図
【図４】本発明の組み立て後の上面斜視図
【図５】市販のティシュボックス斜視図
【図６】本発明の使用状態の斜視図
【発明を実施するための形態】
【０００７】
以下、本発明を実施するための最良の形態について説明する。
イ、  ティシュボックスを収容するための縦長上の筐本体（１）の正面に縦長上の取り出し穴（２）を設ける。
ロ、  筐本体（１）の上部を開口し、筐本体（１）の上縁に折り曲げ部（８）を介して筐本体側面の延長となる折り曲げ片（７）を設け、折り曲げ片（７）は筐本体（１）の内側に折り曲げ自在とする。
ハ、  筐本体（１）の底面部（４）は、折り曲げた後差込部（５）を差し込み、突出片（６）とを重合させ、組み立てることにより、底面部（４）を一平面に形成する。
ニ、  筐本体部（１）は一側面部に取り付け穴（９）を設ける。
ホ、  筐本体（１）は、組み立てる以前に本体形成接着部（１１）及び（１２）により接着され、筒状の筐体が形成されている。
発明は以上の構造よりなるので本発明を使用するときは、筐本体（１）の上面開口部より、ティシュボックス（１０）を挿入自在とする。このときティシュボックス（１２）のティシュペーパー取り出し口と筐本体の取り出し穴（２）をあわせることにより、ティシュペーパーを自由に取り出すことができる。
【符号の説明】
【０００８】
（１）  本体
（２）  取り出し穴
（３）  開口部
（４）  底面部
（５）  差込部
（６）  突出片
（７）  折り曲げ片
（８）  折り曲げ部
（９）  取り付け穴
（１０）市販ティシュペーパーボックス斜視図
（１１）本体形成接着部
（１２）本体形成接着部
【図１】
2010254317.tif 000003
【図２】
2010254317.tif 000004
【図３】
2010254317.tif 000005
【図４】
2010254317.tif 000006
【図５】
2010254317.tif 000007
【図６】
2010254317.tif 000008
(57)【要約】【課題】  本願発明の課題は、「天地無用」のように用語の意味を誤解されることなく、「上下の向きを逆さにしないこと」の意味に正しく理解され、目に付き易く見過ごされることがなく、一見しただけで上下を厳守する必要のある箱であることを認識させることのできる段ボール箱を提供することにある。【解決手段】  本願発明の上下判別表示付き段ボール箱は、裾から頂上に向けて横幅が狭くなる台形、山形、塔形といった上下判別用図形（図案、写真等を含む）が段ボール箱の一又は二以上の外周面に表示され、その上下判別用図形は裾部分が段ボール箱の外周面の底面側の横幅全域又はほぼ全域に表示され、頂上部分が前記外周面の上縁側に表示されたものである。上下判別表示付き段ボール箱には、上下判別用図形と上下を判別するための文字又は／及び記号とを併記することもできる。【選択図】図１
2010254313.tif 000002
【特許請求の範囲】
【請求項１】
上下面を備える段ボール箱において、裾から頂上に向けて横幅が狭くなる台形、山形、塔形といった上下判別用図形が段ボール箱の一又は二以上の外周面に表示され、その上下判別用図形は裾部分が段ボール箱の外周面の底面側の横幅全域又はほぼ全域に表示され、頂上部分が前記外周面の上縁側に表示されたことを特徴とする上下判別表示付段ボール箱。
【請求項２】
請求項１記載の上下判別表示付段ボール箱において、上下判別用図形と上下を判別するための文字又は／及び記号とを併記したことを特徴とする上下判別表示付段ボール箱。
【発明の詳細な説明】
【技術分野】
【０００１】
本願発明は、物品の搬送、輸送、収用、保管などに使用可能な段ボール箱に関するものである。
【背景技術】
【０００２】
段ボール箱に物品を包装して輸送、搬送、保管などする場合、包装された物品によっては上下逆さまや横倒しにして欲しくないものがある。しかし、包装箱の蓋を閉めると包装された物品の上下（天地）が外から見えないため、段ボール箱が上下逆さまにされたり横倒しにされたりすることがある。これを防止するため従来は段ボール箱の外周面に「天地無用」の文字を印刷したり、「天地無用」の文字が印刷されたラベルを貼付したり、上向きの矢印を表示したりしている。
【発明の概要】
【発明が解決しようとする課題】
【０００３】
前記従来の段ボール箱には次のような課題があった。
（１）「天地無用」という用語は「上下を逆さまにしないように」という意味であるが、近年はその意味を正しく理解できず「箱の向きを上下どちらにしてもよい」という意味に誤解されることがあり、上下を気にすることなく搬送、輸送、荷積みなどされて、箱の中の物品が故障し損壊する一因となっている。
（２）段ボール箱に上下判別用の上向き矢印を表示した場合は、前記のような問題は少ないが、その矢印が段ボール箱の隅に小さく表示されている場合はその矢印に気が付かずに上下逆さまにされたり横倒しにされたりすることがある。
【課題を解決するための手段】
【０００４】
本願発明の課題は、「天地無用」のように用語の意味を誤解されることなく、「上下の向きを逆さにしないこと」の意味に正しく理解され、目に付き易く見過ごされることがなく、一見しただけで上下を厳守する必要のある箱であることを認識させることのできる段ボール箱を提供することにある。
【０００５】
本願発明の上下判別表示付き段ボール箱は、裾から頂上に向けて横幅が狭くなる台形、山形、塔形といった上下判別用図形（図案、写真等を含む）が段ボール箱の一又は二以上の外周面に表示され、その上下判別用図形は裾部分が段ボール箱の外周面の底面側の横幅全域又はほぼ全域に表示され、頂上部分が前記外周面の上縁側に表示されたものである。上下判別表示付き段ボール箱には、上下判別用図形と上下を判別するための文字又は／及び記号とを併記することもできる。
【発明の効果】
【０００６】
本願発明の上下判別表示付き段ボール箱は次のような効果がある。
（１）上下判別用の図形が段ボール箱の一又は二以上の外周面に表示されているので、外面から上下判別用の図形を確認することができる。
（２）上下判別用の図形が台形、山形といった上細りであり、その図形が段ボール箱の外周面下方横幅全域又はほぼ全域に表示され、上方部分が前記外周面の上方に表示されているので、上下判別用の図形を一見するだけで段ボール箱の上下判別ができる。
【図面の簡単な説明】
【０００７】
【図１】本願発明の上下判別表示付き段ボール箱の一例を示す斜視図。
【図２】本願発明の上下判別表示付き段ボール箱の他例を示す斜視図。
【発明を実施するための形態】
【０００８】
（実施形態１）
本願発明の上下判別表示付き段ボール箱の実施形態の一例を図１に基づいて説明する。図１に示す上下判別表示付き段ボール箱１は直方体であり、その四方の外周面３の夫々の面（全周面）に山形の上下判別用の図形２（以下、「上下判別用図形２」という）を表示して、段ボール箱１のどの面から見ても、その上下判別用図形２を確認できるようにしてある。
【０００９】
前記段ボール箱１は商品を収容できるものであり、折りたたみ式であっても、固定式であってもよく、サイズも収容する物品のサイズに合わせて任意のものとすることができる。段ボール箱１の上面には開閉蓋６が設けられている。
【００１０】
前記上下判別用図形２は段ボール箱１の上下方向（向き）を示すものであり、裾部分４の横幅を頂上部分５の横幅よりも広くし、頂上部分５の横幅を裾部分４の横幅の約半分程度にして山形にし、頂上側を白くして頂上側が冠雪しているイメージにしてある。この図形は裾部分４を段ボール箱１の外周面３の下端部横幅全域に表示し、頂上部分５を前記外周面３の上縁７の幅方向中央部に表示して、裾部分４をダンボバール箱１の底面側、頂上部分５をダンボール箱１の開閉蓋６側にしてある。上下判別用図形２の裾部分４の幅、頂上部分５の横幅、山形図形の背丈、山形図形の斜面の角度等は任意に選定することができるが、いずれの場合も裾部分４の幅を頂上部分５の幅よりも広くして上下の方向を明確にする必要がある。上下方向を判別可能である限り、上下判別用図形２を外周面３から開閉蓋６に連続的に表示することもできる。
【００１１】
図１の上下判別用図形２は、富士山を連想又は認識させるような山形（台形）のデザインであるが、それ以外の図形、例えば、図２に示すように頂上が波形の山形や、東京タワー（塔形）のように上下が明らかな形状、人間が一見して上下を判別できるような形状の図案、デザイン、写真等とすることもできる。
上下判別用図形２は上、下の文字或いは天、地の文字や矢印記号などと併記することもできる。
【符号の説明】
【００１２】
１  段ボール箱
２  上下判別用図形
３  外周面
４  裾部分
５  頂上部分
６  開閉蓋
７  上縁
【図１】
2010254313.tif 000003
【図２】
2010254313.tif 000004
(57)【要約】【課題】寿命を安価な装置で常時監視し得るワイヤロープおよびそのワイヤロープの寿命を点検する方法を得る。【解決手段】ワイヤロープは、エレベータに用いるワイヤロープであって、中心に配置される樹脂被覆導線と、上記樹脂被覆導線の周囲に巻き付けられた心綱と、上記心綱の周囲に巻き付けられたストランドと、を備え、上記樹脂被覆導線は、曲げ疲労寿命が上記ワイヤロープの曲げ疲労寿命より短い。また、樹脂被覆導線の両端に電圧を印加し上記樹脂被覆導線に電流が流れないとき上記ワイヤロープの曲げ疲労寿命の所定の割合に達したと判断する。【選択図】図１
2010254394.tif 000002
【特許請求の範囲】
【請求項１】
エレベータに用いるワイヤロープであって、
中心に配置される樹脂被覆導線と、
上記樹脂被覆導線の周囲に巻き付けられた心綱と、
上記心綱の周囲に巻き付けられたストランドと、を備え、
上記樹脂被覆導線は、曲げ疲労寿命が上記ワイヤロープの曲げ疲労寿命より短いことを特徴とするワイヤロープ。
【請求項２】
請求項１に記載のワイヤロープの寿命を点検する方法において、
樹脂被覆導線の両端に電圧を印加し上記樹脂被覆導線に電流が流れないとき上記ワイヤロープの曲げ疲労寿命の所定の割合に達したと判断することを特徴とするワイヤロープの寿命を点検する方法。
【発明の詳細な説明】
【技術分野】
【０００１】
この発明は、エレベータのかごを吊すためのワイヤロープおよびそのワイヤロープの寿命を点検する方法に関する。
【背景技術】
【０００２】
ロープ式のエレベータにおいては、メインロープ、コンペンロープ、ガバナロープが使用されている。そして、これらのロープは、中央に位置し、麻やポリプロピレン製の心綱素線を撚り合わせあるいは編み上げた心綱と、心綱の周囲に巻き付けられた素線を撚り合わせた６本または８本のストランドとを有する。
【０００３】
そして、従来、ワイヤロープの軸方向に磁気的に飽和状態に磁化し、局部的な断面積変化を空気中に漏洩する磁束の変化により評価する漏洩磁束探傷法による非破壊検査が外観検査の補助手段的に用いられている（例えば、特許文献１参照）。
【先行技術文献】
【特許文献】
【０００４】
【特許文献１】特開２００５−０８９１７２号公報
【発明の概要】
【発明が解決しようとする課題】
【０００５】
しかし、従来のロープテスタは、検出器ごとに制御器および記録計が組み合わせされているので、コストがかかるとともに、一台一台の調整・マッチングが必要であるため操作も煩雑であり、設置も大きなスペースを必要とする問題があった。
【０００６】
この発明は、前記のような課題を解決するためになされたものであり、寿命を安価な装置で常時監視し得るワイヤロープおよびそのワイヤロープの寿命を点検する方法を得ることを目的とする。
【課題を解決するための手段】
【０００７】
この発明に係るワイヤロープは、エレベータに用いるワイヤロープであって、中心に配置される樹脂被覆導線と、上記樹脂被覆導線の周囲に巻き付けられた心綱と、上記心綱の周囲に巻き付けられたストランドと、を備え、上記樹脂被覆導線は、曲げ疲労寿命が上記ワイヤロープの曲げ疲労寿命より短い。
【０００８】
この発明に係るワイヤロープの寿命を点検する方法は、樹脂被覆導線の両端に電圧を印加し上記樹脂被覆導線に電流が流れないとき上記ワイヤロープの曲げ疲労寿命の所定の割合に達したと判断する。
【発明の効果】
【０００９】
この発明に係るワイヤロープの効果は、ワイヤロープの中に曲げ疲労による寿命がワイヤロープ全体の寿命より短い所定の寿命の樹脂被覆導線を設けてあるので、ワイヤロープの使用開始から樹脂被覆導線の断線が確認されるまでは樹脂被覆導線の断線を安価なテスタで点検すればよいことである。
【図面の簡単な説明】
【００１０】
【図１】この発明に係るワイヤロープの断面図である。
【図２】ワイヤロープを一部解いた状態を示す側面図である。
【発明を実施するための形態】
【００１１】
以下、本発明のワイヤロープの好適な実施の形態につき図面を用いて説明する。
図１は、この発明に係るワイヤロープの断面図である。図２は、ワイヤロープを一部解いた状態を示す側面図である。
この発明の実施の形態でのワイヤロープ１は、断面の中心に配置される樹脂被覆導線２、樹脂被覆導線２の周囲に巻き付けられた心綱３、心綱３の周囲に巻き付けられたストランド４から構成される。
樹脂被覆導線２は、鋼線５が樹脂皮膜６により被覆されている。そして、樹脂被覆導線２に曲げを繰り返し施したときに起こる断線（以下、曲げ疲労による断線と称す）が心綱３とストランド４だけから構成されるワイヤロープの曲げ疲労による寿命より短い、例えば寿命の８０％位で発生する。なお、割合は６０％〜９０％が好ましいが、安全を考慮すれば７０％〜８０％が最も好ましい。
【００１２】
心綱３は、樹脂被覆導線２を中心に麻やポリプロピレン製の心綱素線７を撚り合わせあるいは編み上げた構造となっている。そして、心綱３の周囲には６本のストランド４が巻き付けられている。なお、ストランド４の数は６本に限るわけではない。
ストランド４は、鋼線である素線８を撚り合わせた構造となっている。
【００１３】
このワイヤロープ１に繰り返しの曲げを施すと、樹脂被覆導線２の鋼線５の曲げ強度が金属疲労により低下し、ある回数に至ると鋼線５が破断する。一方、ストランド４の素線８も断線していくが、鋼線５が破断する回数ではワイヤロープの曲げ疲労寿命に達したと判断する使用限度を超えてはいない。例えば、素線８の断線が平均に分布している場合１つのストランド４の１ピッチ内に４本を超えているとき使用限度を超えていると判断する。
【００１４】
次に、ワイヤロープ１の寿命予測方法について説明する。
エレベータが新たに設置された時またはワイヤロープ１が交換された時を使用開始時とし、使用開始時から樹脂被覆導線２の断線が検出されるまでは、エレベータの保守点検の度に、ワイヤロープ１の両端に露出した樹脂被覆導線２に電圧を印加して電流を計測する。樹脂被覆導線２が断線していないときには電流が流れており、逆に樹脂被覆導線２が断線すると電流は流れない。
そして、樹脂被覆導線２が断線したときはワイヤロープ１の曲げ疲労寿命の８０％位に達していると推定し、以降エレベータの保守点検で定期的にロープテスタで素線８の破断を点検する。
【００１５】
以上のように、ワイヤロープ１の中に曲げ疲労による寿命がワイヤロープ全体の寿命の８０％位と短い樹脂被覆導線２を設けてあるので、ワイヤロープ１の使用開始から樹脂被覆導線２の断線が確認されるまでは樹脂被覆導線２の断線を安価なテスタで点検すればよい。
また、鋼線５が樹脂により被覆されているので、ストランド４の素線８と電気的に導通せず、樹脂被覆導線２だけの導通を点検できる。
【００１６】
なお、樹脂被覆導線２の両端から常時導線を引き出し、電圧を印加しておけば鋼線５が断線したことを直ぐに確認することができる。
【符号の説明】
【００１７】
１  ワイヤロープ、２  樹脂被覆導線、３  心綱、４  ストランド、５  鋼線、６  樹脂皮膜、７  心綱素線、８  素線。
【図１】
2010254394.tif 000003
【図２】
2010254394.tif 000004
(57)【要約】      （修正有）【課題】大型の部材と小型の部材を同時に梱包した場合に、作業者が小型の部材をとり忘れたり、誤って小型の部材を破損したりしない梱包方法を提供する。【解決手段】大型部材１と、小型部材５と、を梱包する梱包方法であって、前記大型部材にはちらし３が貼付されており、前記ちらしには、小型部材が梱包されている旨が記載されており、前記ちらしと、前記小型部材と、が接続されており、前記ちらしを大型部材より取り外すことで、接続された小型部材を同時に取り出すことが出来ることを特徴とする梱包方法。【選択図】図４
2010254324.tif 000002
【特許請求の範囲】
【請求項１】
大型部材と、小型部材と、を梱包する梱包方法であって、
前記大型部材にはちらしが貼付されており、
前記ちらしには、小型部材が梱包されている旨が記載されており、
前記ちらしと、前記小型部材と、が接続されており、
前記ちらしを大型部材より取り外すことで、接続された小型部材を同時に取り出すことが出来ることを特徴とする梱包方法。
【請求項２】
前記小型部材は、前記大型部材と梱包材との隙間に梱包され、
前記ちらしが前記梱包材と前記大型部材の離間を妨げる位置に貼付されていることを特徴とする請求項１に記載の梱包方法。
【請求項３】
前記大型部材が緩衝材の上に積載され、
前記緩衝材の内部に前記小型部材が梱包されていることを特徴とする請求項２に記載の梱包方法。
【発明の詳細な説明】
【技術分野】
【０００１】
本発明は、部材の梱包に係り、特に大型の部材と、脆い小型の部材を一つに梱包する際に好適な梱包方法に関する発明である。 
【背景技術】
【０００２】
従来の梱包方法としては、大型の部材を梱包する隙間に小型の組み込み部材を梱包しているものが知られている（例えば、特許文献１参照。）。 
このような場合、作業者が梱包されている小型の部材の存在に気が付かず、とり忘れてしまうという問題があった。
また、小型の部材を大型の部材の下部に梱包した場合に、大型の部材を取り出そうとした作業者が誤って小型の部材を踏んでしまい、部材が破損するという問題があった。
【先行技術文献】
【特許文献】
【０００３】
【特許文献１】特開平６−３２１２８４号公報
【発明の概要】
【発明が解決しようとする課題】
【０００４】
本発明は、上記問題を解決するためになされたもので、本発明の課題は、大型の部材と小型の部材を同時に梱包した場合に、作業者が小型の部材をとり忘れたり、誤って小型の部材を破損したりしないようにすることである。
【課題を解決するための手段】
【０００５】
上記目的を達成するために請求項１記載の発明によれば、（請求項１）とすることにより、小型の材の存在を確実に作業者に伝えると同時に、表示紙を外すことで自動的に小型の部材が取り出され、とり忘れを防止することが可能となる。
【０００６】
また、請求項２記載の発明によれば、ちらしをとりはずさないと大型部材を取り出せないようにすることで、作業者がちらしに気づかずに作業を進めてしまうことを防止できる。
【０００７】
また、請求項３記載の発明によれば、作業者が小型部材に気づかずに踏んでしまい、小型部材が破損する問題を防止することが可能となる。
【発明の効果】
【０００８】
本発明によれば、大型の部材と小型の部材を同時に梱包できると共に、小型の部材のとり忘れ、破損を防ぐことが出来るという効果がある。
【図面の簡単な説明】
【０００９】
【図１】本発明の実施例における梱包状態を示す斜視図。
【図２】本発明の実施例における上部梱包材１を取り除いた状態を示す斜視図。
【図３】本発明の実施例における下部梱包材２を開いた状態を示す斜視図。
【図４】本発明の実施例におけるちらし３を取り除いた上体を示す斜視図。
【発明を実施するための形態】
【実施例】
【００１０】
本発明の実施例を図を用いて示す。
図１は本発明の実施例における梱包状態を示す斜視図である。被梱包物はその上部をダンボールからなる上部梱包材６によって覆われている。上部梱包材６は底面を開口した形状であり、垂直に引き上げることで取り除くことが可能となっている。
なお、上部梱包材６の材質は被梱包物の性質、要求耐久性によって適宜変更することが可能であり、ここで例にあげたダンボールに限られるものではない。
【００１１】
図２に上部梱包材６を取り除いた状態を示す。上部梱包材６を取り除くことで、被梱包物であるキャビネット１の上部が露になる。キャビネット１の下部は下部梱包材２によって梱包されており、梱包状態において、キャビネット１は上部梱包材６と下部梱包材２によって上下を梱包されている状態である。
【００１２】
図３に下部梱包材２を開いた状態を示す。下部梱包材２の上には（緩衝材の材質を入れてください）からなる緩衝材４が載っており、キャビネット１は緩衝材４に積載されている構造となっている。
このとき、緩衝材４の材質は上部梱包材６同様に、被梱包物の性質、要求耐久性、重量などによって適宜変更することが可能である。
【００１３】
キャビネット１の側面にはちらし３が貼付してある。ちらし３はその下辺を緩衝材４中に梱包されている付属部品５（図４を参照）に接続されている。よって、ちらし３を取り外さなければ、キャビネット１を取り外すことが出来ない構造となっている。
また、このちらし３には、緩衝材４に包まれる形で付属部品５が梱包されている旨、ちらし３をキャビネット１から取り外すことで付属部品５を同時に取り出すことが可能である旨が記載されている。
【００１４】
図４はちらし３を取り外した状態を示す斜視図である。先述のように、ちらし３の下辺は付属部品５と接続されており、ちらし３をキャビネット１から取り外すことで、自動的に付属部品５が緩衝材４から引き出される。
【００１５】
なお、本発明はここで示した実施例に限られるものではなく、本発明の範囲を逸脱しないかぎり、自由に設計変更を行うことが出来る。
例えば、被梱包物はここに示したキャビネットに限られるものではなく、付属部品５も電池や替刃のような消耗品等、どのようなものであってもよい。
【符号の説明】
【００１６】
１…キャビネット
２…下部梱包材
３…ちらし
４…緩衝材
５…付属部品
６…上部梱包材
【図１】
2010254324.tif 000003
【図２】
2010254324.tif 000004
【図３】
2010254324.tif 000005
【図４】
2010254324.tif 000006
(57)【要約】      （修正有）【課題】紙コップを持つ時に滑らず持ちやすくする。且つ収納する時にコンパクトに収納できるようにする。【解決手段】紙コップ中央の外周側に２．５ｃｍ幅に二つの突起を設ける。内側は、外側の突起の形の窪みがある。突起と窪みを同位置につける。【選択図】図１
2010254371.tif 000002
【特許請求の範囲】
【請求項１】
紙コップ中央の外周側２．５ｃｍ幅に２ｍｍ位の二つの突起を設ける事によって内側に窪みが出来る。
【発明の詳細な説明】
【背景技術】
【０００１】紙コップを持つときに非常に滑りやすく中身をこぼす事が多かった。
【発明が解決しようとする課題】
【０００２】紙コップを持つ時に滑らず持ちやすくする。尚且つ収納する時にコンパクトに収納できる。
【発明を解決するための手段】
【０００３】紙コップ中央の外周側２．５ｃｍ幅に２ｍｍ位の二つの突起を設ける。
【０００４】内側は、外側の突起の形の窪みがある。
【０００５】突起と窪みを同位置につける。
【発明の効果】
【０００６】試した結果、子供からお年寄りまで滑らず持ちやすかった。収納も出来た。
【発明を実施するための形態】
【０００７】
2010254371.tif 000003
【図面の簡単な説明】
【０００８】図１は１の突起に対して２の窪みが出来る。
【符号の説明】
【０００９】１‥‥‥‥‥外面の外周側に付けた突起
２‥‥‥‥‥内面の内周側に付けた窪み
３‥‥‥‥‥外面、内面が同位置
【図１】
2010254371.tif 000004
(57)【要約】【課題】円形であるため、輸送時に無駄なスペースが存在し低効率であった。そのため、より多くの物流コスト、二酸化炭素を排出していた。【解決手段】これまでの円形の容器からより四角形の角を丸めた形状Ｂへと変更する。【選択図】図１
2010254374.tif 000002
【特許請求の範囲】
【請求項１】
四角形の角を丸めた形状を特徴としたインスタント食品容器。
【請求項２】
四辺の平面部形状を特徴としたインスタント食品容器。
【発明の詳細な説明】
【技術分野】
【０００１】  この発明は容器の形状に関するものである。
【背景技術】
【０００２】  これまでのインスタント食品容器では円形であった。
【発明の開示】
【発明が解決しようとする課題】
【０００３】しかしながら、以上の技術では円形であるため、輸送時に無駄なスペースが存在しており低効率であった。そのため、より多くの物流コスト、Ｃｏ２を排出していた。【０００４】店頭での陳列時、円形であるため転がりやすく扱いづらい。
【課題を解決するための手段】
【０００５】従来の円形から四角形の角を丸めた形状にする。
【発明の効果】
【０００６】物流の効率化によりコストと、二酸化炭素排出量削減が実現できる。【０００７】店頭での陳列時円形ではなく、平面部があるため転びにくく扱いやすい。
【発明を実施するための最良の形態】
【０００８】平面部を１０ｍｍ以下程度に抑え、角を丸める事による容器の高効率と、転がりにくく陳列のしやすさのバランスを保つ形状とする。
【産業上の利用可能性】
【０００９】本発明は陳列しやすく、物流コスト、二酸化炭素削減が実現できるためインスタント食品容器として採用できる。
【図面の簡単な説明】
【００１０】
【図１】容器の全体図
【符号の説明】
【００１１】Ａ・・・平面部
Ｂ・・・四角形状の角を丸めた部分
【図１】
2010254374.tif 000003
(57)【要約】【課題】  本発明は、食材のカップ内充填ラインよりガイド棒などの突起物をなくして清掃を容易且つ完璧に行うことができる被せ蓋の縁合わせ装置を新規に提供するものである。【解決手段】  本発明は、調味料等を含む食材のカップ内充填部と、蓋被せ部とおよびシール部とを有すカップの間歇走行ラインにおいて、該ラインの蓋被せ位置上に縁合わせ用のガイド孔板と仮止め機構を設け、上方より降下する蓋をガイド孔板に通すことによりカップに縁合わせ被せするとともにカップに仮止めして本シール部に送るようにしたことを特徴とする食材のカップ内充填ラインにおける被せ蓋の縁合わせ装置にある。【選択図】図１
2010254302.tif 000002
【特許請求の範囲】
【請求項１】
調味料等を含む食材のカップ内充填部と、蓋被せ部とおよびシール部とを有すカップの間歇走行ラインにおいて、該ラインの蓋被せ位置上に縁合わせ用のガイド孔板と仮止め機構を設け、上方より降下する蓋をガイド孔板に通すことによりカップに縁合わせ被せするとともにカップに仮止めして本シール部に送るようにしたことを特徴とする食材のカップ内充填ラインにおける被せ蓋の縁合わせ装置。
【発明の詳細な説明】
【技術分野】
【０００１】
この発明は、調味料等を含む食材のカップ内充填ラインにおける被せ蓋の縁合わせ装置に関するものである。
【背景技術】
【０００２】
従来は図４乃至図６に示すように、食材のカップ内充填ラインを構成するリテーナーコンベアの各カップの吊り下げ穴のすべての前後左右などに２乃至数本のガイド棒を直立させて、または吊り下げ穴を段落して吊り下げカップの上側周囲にガイド壁を設けていて、食材等を充填したカップが走行し来ると上方より降下する蓋の前後左右などを当該のガイド棒またはガイド壁にてガイドしてカップの上縁に縁合わせ被せするとともに、蓋をガイド棒またはガイド壁にてズレ動かないようにガイドしてシール部に送るようにしている。
【先行技術文献】
【特許文献】
【０００３】
【特許文献１】なし
【発明の概要】
【発明が解決しようとする課題】
【０００４】
しかしながら、食材のカップ内充填ラインは食中毒等の発生を防止するために完璧な清掃，衛生が求められていることから、一工程の充填作業を終えるごとなどにラインを清掃するようにしているが、各カップの吊り下げ穴の前後左右等に直立する多数のガイド棒または段落したガイド壁の構造が障害して清掃を妨げ、周辺に食材の清掃残し、特にガイド棒の基部まわり，ガイド壁の下周隅部に付着食材が散財するなどして非衛生であるという課題があった。
【課題を解決するための手段】
【０００５】
本発明は調味料等を含む食材のカップ内充填部と、蓋被せ部とおよびシール部とを有すカップの間歇走行ラインにおいて、該ラインの蓋被せ位置上に縁合わせ用のガイド孔板と仮止め機構を設け、上方より降下する蓋をガイド孔板に通してガイドすることにより該蓋をカップに縁合わせ被せするとともにカップに仮止めしてシール部に送るようにして、かかる課題を解決するようにしたのである。
【発明の効果】
【０００６】
本発明は、蓋被せ位置上にのみガイド孔板を設けたほかは、食材のカップ内充填ラインは平坦で一切の突起物がなくなるを以って、ラインの清掃が容易となり、短時間にて完璧に清掃することができるという効果を生ずる。
【０００７】
また食材の充填ラインが平坦になることで食材等の附着もなくなるという効果を生ずる。
縁合わせした被せ蓋を仮止め機構によりカップに仮止めするので、被せ蓋をズレ動きなしにて本シール部に送ることができるという効果を生ずる。
【図面の簡単な説明】
【０００８】
【図１】本発明の１実施例における食材のカップ内充填ラインの要部を示す側面図
【図２】同、蓋被せ部分の拡大図
【図３】同、蓋被せおよび仮止めシールの状態を示す拡大図
【図４】従来例の食材のカップ内充填ラインを示す部分側面図
【図５】同、リテーナーコンベアの平面図
【図６】同、吊り穴を段落して設けた他例の部分側面図
【発明を実施するための形態】
【０００９】
本発明は、調味料等を含む食材のカップ内充填部と、蓋被せ部とおよびシール部とを有すカップの間歇走行ラインにおいて、該ラインの蓋被せ位置上に縁合わせ用のガイド孔板と仮止め機構を設け、上方より降下する蓋をガイド孔板に通すことによりカップに縁合わせ被せするとともにカップに仮止めして本シール部に送るようにする。
【実施例１】
【００１０】
図１乃至図３は本発明の１実施例であって、食材のカップ内充填ラインを構成するリテーナーコンベア１の上面に開口する各吊り下げ穴２にカップ３を嵌め吊り下げて、充填部４下にて調味料などを含む食材Ｓをそれぞれ充填して蓋被せ部５下に走行させる。
【００１１】
蓋被せ部５はカップ３の上縁３ａの外径と同形大きさとする蓋６を多数重ね収容した上方の供給筒５ａの下端より蓋被せアーム５ｂにて１枚づつ回転出し且つ降下させてカップ３上に被せるが、蓋６の１枚づつの回転出し降下とカップ３との間に縁合わせ用のガイド孔板７を設けて、蓋６をこのガイド孔板７を通して降下させることでカップ３の上縁３ａとの間で縁合わせ被せするようにしたのである。
【００１２】
ガイド孔板７はその内面上半を上広下狭の傾斜内面７ａ、下半を垂直面７ｂにして、蓋６をガイドするようにしている。垂直面７ｂの下端はカップ３の上縁３ａの外径と同形大きさであって、上下動する支持体７ｃにて上下動するように支持されている。なお、蓋６の周囲の一部延長にて剥がし取り用の突片（図示してない）があるときは、ガイド孔板７の傾斜内面および垂直面に突片の避け部を設ける。
【００１３】
食材Ｓを充填した各カップ３は蓋被せ部４の位置に来て間歇停止すると上方の供給筒５ａの下端より１枚づつ回転出し降下する蓋６が縁合わせ用のガイド孔板７の上広下狭の傾斜内面７ａを通ってカップ３上に接面することでカップ３との間で外縁の全周が揃った縁合わせ状態にて着蓋することとなる。
【００１４】
着蓋した蓋６はその場で１点または２点あるいは部分円弧状等のポイントシールにて仮止めされてズレ動くことなくして本シール部９に送られることとなる。
【００１５】
８はこの仮止め用のシール棒であって、着蓋した蓋６上に降下して着蓋と同時に瞬間的にシール止めするのである。仮止め用のシール棒８はシールし終えると上動して次の仮止めに待機することとなる。
【産業上の利用可能性】
【００１６】
本発明は、食材のカップ内充填ラインにおいて、ラインに多数のガイド棒の直立がなく、または段落したガイド壁がなくなることで清掃が容易且つ短時間にて完璧に行え、且つ食材の附着がなくなるものとして広く利用されるものである。
【符号の説明】
【００１７】
１はリテーナーコンベア
２は吊り下げ穴
３はカップ
３ａはカップの上縁
４は食材の充填部
５は蓋被せ部
５ａは供給筒
５ｂは蓋被せアーム
６は蓋
７はガイド孔板
７ａは傾斜内面
７ｂは垂直面
７ｃは上下動する支持体
８は仮止め用のシール棒
９は本シール部
Ｓは食材
【図１】
2010254302.tif 000003
【図２】
2010254302.tif 000004
【図３】
2010254302.tif 000005
【図４】
2010254302.tif 000006
【図５】
2010254302.tif 000007
【図６】
2010254302.tif 000008
(57)【要約】  【課題】サイズの異なる食品包装用ラップを２種類あるいはそれ以上を組み合わせて１つのラップ容器に取り付けることにより、さまざまな大きさの容器に対応できる食品包装用ラップを１箱の容器で提供することにある。  【解決手段】ラップ容器の両端にプラスチック製の止め具を装着し、取り外し可能な筒状の芯棒を取り付ける。芯棒に異なるサイズの食品包装用ラップを複数装着することにより、様々な大きさの容器に使用できる食品包装用ラップを選択して使用することができる食品包装用ラップとその容器を提供する。【選択図】  図１
2010254367.tif 000002
【特許請求の範囲】
【請求項１】
異なるサイズの食品包装用ラップをひとつのラップ容器内に収めることがきるラップロールおよびラップ容器であって、
前記ラップ容器内にラップロールを通る１本の芯棒を持ち、詰め替えが可能な
食品包装用ラップロールおよびラップ容器。
【請求項２】
請求項１記載のラップロールにはさまざまな長さのものがあり、
数種類を組み合わせて１本のラップ容器に内に挿入することができるラップロールおよびラップ容器。
【請求項３】
請求項１記載のラップ容器の内側両端には芯棒を支えるためのプラスチック製の止め具が付属するラップ容器。
【発明の詳細な説明】
【技術分野】
【０００１】
本発明は異なるサイズの食品包装用ラップを１つのラップ容器に収める食品包装用ラップに関する。
【背景技術】
【０００２】
一般家庭にある食品包装用ラップを利用する容器の大きさはさまざまであるが、現在市販されてるラップのサイズは限られている。ラップの用途は広く、数センチメートルの幅のものから、数十センチメートルの幅のものまで広範囲に利用できれば非常に便利である。大きさの異なるさまざまなラップをすべて取り揃えるのはスペースにも問題があり、現時点では幅の小さいラップは市販されていない。
【０００３】
【特許文献１】特許公開２００８−３７４９７
【発明の概要】
【発明が解決しようとする課題】
【０００４】
従来の食品包装用ラップでは大きさが限られており、用途に応じたサイズを自由に選択することができない。
【０００５】
本発明の課題は、様々なサイズの食品包装用ラップを２種類あるいはそれ以上を組み合わせて１つのラップ容器に取り付けることにより、さまざまな大きさの容器に対応できる食品包装用ラップを１箱の容器で提供することにある。
【課題を解決するための手段】
【０００６】
上記課題を解決するため、本発明においては、ラップ容器に筒状の芯棒を取り付け、その芯棒にさまざまなサイズの食品包装用ラップと、それを取り付けることが可能なラップ容器を提供する。
【発明の効果】
【０００７】
本発明の食品包装用ラップ容器と食品包装用ラップにより、1本のラップ容器でさまざまなサイズの容器に適応するラップを選ぶことができ、食品用包装ラップの無駄を省くことができる。
【発明を実施するための最良の形態】
【０００８】
以下、本発明の具体的実施例を図面を用いて説明する。
【実施例】
【０００９】
図１は実施例に用いる異なるサイズの食品包装用ラップとそれを通す筒状の芯棒を示している。同図において、１１は食品包装用ラップを通す芯棒である。１２および１３はサイズの異なる食品包装用ラップを示している。
【００１０】
図２は食品包装用ラップ容器を示したものである。同図において１４は芯棒を支えるプラスチック製の止め具であり、扇型に開いた上部は弾力性を持っており、芯棒の取り付けや取り外しが簡単にできるような仕組みになっている。
【図面の簡単な説明】
【００１１】
【図１】異なるサイズの食品包装用ラップを芯棒に取り付けたときの図。
【図２】食品包装用ラップ容器に芯棒を取り付けた時の図と芯棒を支える部品を示す図。
【符号の説明】
【００１２】
１１…芯棒、１２…食品包装用ラップ、１３…１２とはサイズの異なる食品包装用ラップ、１４…プラスチック製の止め具、１５…食品包装用ラップ容器
【図１】
2010254367.tif 000003
【図２】
2010254367.tif 000004
(57)【要約】      （修正有）【課題】車の前方視野が良くなり車の利便性が上がる。【解決手段】基本的には、既存のバックミラーを使用し、取付位置を変える事です。【選択図】図２
2010254267.tif 000002
【特許請求の範囲】
現在使用されている車のバックミラーよりも前方視界が良くなり車の運転が安全で容易、快適になるバックミラーを考案し、それを広める為の権利を請求いたします。
【発明の詳細な説明】
【技術分野】
【０００１】既存のバックミラー技術と不足の場の上下移動可能な階段状レールの取付補足をします。
【背景技術】
【０００２】既存の技術を使用します。
【発明の概要】
車の前方視界を良くする為です。
【０００３】バックミラーによって見えなかった所を見えるようにする事です。
【課題を解決するための手段】
【０００４】バックミラーの取付位置を工夫し前方を広く取ります。
【発明の効果】
【０００５】前方視界が広く良くなる事です。
【図面の簡単な説明】
【０００６】
【図１】
【発明を実施するための形態】
【０００７】基本的には、既存のバックミラーの取付位置を上方へ移動する事です。
【実施例】
【０００８】自分の車で試してみたら変りなく後方を見る事が出来ました。バックミラーを見る時は上目づかいになるが前よりも上目づかいがきっくなったと思う人の為に、上下移動用のレールの取付を考えました。
【産業上の利用可能性】
【０００９】車の快適性が向上し、これを取り入れた車が増加し経済効果が出ると思います。
【符号の説明】
【００１０】１、天床    ２、上下移動用レール
３、バックミラー    ４、フロントガラス
【図１】
2010254267.tif 000003
【図２】
2010254267.tif 000004
【図３】
2010254267.tif 000005
【手続補正書】
【提出日】平成21年7月30日(2009.7.30)
【手続補正１】
【補正対象書類名】明細書
【補正対象項目名】０００６
【補正方法】変更
【補正の内容】
【０００６】
【図１】自動車の室内から見た正面平面図です。
【図２】自動車の室内から見た前上面平面図です。
【図３】自動車の室内の側面断面図です。
(57)【要約】      （修正有）【課題】写真を粘土・樹脂質で一体化させて立体像にする。【解決手段】加工可能な粘土質の板状表面に写真をプリント・転写などで存在あるいは付着させた状態にして写真に合わせた凹凸を、粘土を押し上げる、押し下げるなどで作り上げ立体造形としての粘土にし、粘土質の板状表面に存在する写真を一体化によって凹凸に加工することで、写真を含む表面が凹凸になった粘土が出来上がる。乾燥時の歪や割れなどがない粘土質を使用する事で、被写体の立体造形の精度が増す。【選択図】図１
2010124949.tif 000002
【特許請求の範囲】
【請求項１】
粘土・樹脂質の板状表面に写真類をプリント・転写などで付着添付させて一体化し、
粘土・樹脂質の板状に凹凸を付ける事で、一体化になった表面写真に凹凸が作成される
立体造形。
【請求項２】
写真を薄いフィルムにし、これを粘土質表面に付着させ、写真上の造形の凹凸をフィルム付着済みの粘土を凹凸させることで、得られる立体造形。
【請求項３】
粘土・樹脂質板状の表面に写真をプリント又は印刷で一体化させ、粘土部分の凹凸加工で、写真部分に凹凸をつけることで得られる立体造形。
【発明の詳細な説明】
【技術分野】
【０００１】
本発明は、粘土質表面に写真を持たせ、その写真粘土表面を凹凸に加工することで平面写真を立体像にする技術であり、通常の写真では得られない立体の凹凸がつく事により、写真そのものが立体になる技術である。
【背景技術】
【０００２】
写真は、一般に平面の紙や印画紙で構成される。
【発明の開示】
【発明が解決しようとする課題】
【０００３】
従来の写真には、次のような解決すべき課題があった。
１、平面で存在する写真は、本来立体であるものが２次元で写し撮られる。
２、写真からその被写体の立体造形を想像するのは容易だが、２次元である為立体造形は
構築できない。
３、素材が紙なので、堅牢性に欠ける。
【課題を解決するための手段】
【０００４】
本発明は以上の点を解決するために、次のような構成を採用する。
構成１
加工可能な粘土質の板状表面に写真をプリント・転写などで表面に存在させた状態にして
写真に合わせた凹凸を、粘土質の板状表面を押し上げる、押し下げるなどで作り上げ立体造形物を製作する。
【０００５】
構成２
粘土質の板状表面に存在する写真を凹凸に加工することで、写真を含む表面に凹凸がある粘土質が出来上がる。
【０００６】
構成３
乾燥時の歪や割れなどがない粘土質を使用する事で、被写体の立体造形の精度が増す。
【発明の効果】
【０００７】
本発明の粘土・樹脂質及びその表面写真から立体物を作成することには次のような効果がある。
具体例と効果
１、粘土・樹脂質にある表面写真は、粘土・樹脂質に直接、あるいは転写などで粘土・樹脂質と一体となり、粘土・樹脂質に凹凸を付ける事で、写真は凹凸になる。
２、粘土・樹脂質の板状の表面凹凸が、そのまま写真の凹凸になる為、写真が立体構築される。
３、立体構成された写真は、粘土・樹脂質の硬化によって、その立体を維持できる。
４、粘土・樹脂質にある表面写真は、およそ輝度レベルの低い部分が凹部分であり、高い部分が凸部分となり、また明らかな被写体写真情報でも、凹凸を選定できる為、写真は、具体的立体性を持った立体像となる。
【発明を実施するための最良の形態】
【０００８】
以下、本発明を図の具体例を用いて詳細に説明する。
【実施例】
【０００９】
図１に、本発明の粘土・樹脂質２板状と表面写真１の具体例斜視図を示す。
表面写真１は粘土・樹脂質２の表面に印刷や転写され一体化している。
図2は、表面写真１と粘土・樹脂質２と凹凸部分3とから構成される図1の側面図であり、凹凸部分3は、一体化した表面写真１と粘土・樹脂質２で構成された板状のものであり、表面写真１の写真内容で一体化した粘土・樹脂質２を、凹凸加工３で凹凸を加えることで、立体像を容易に作成できる。
【図面の簡単な説明】
【００１０】
【図１】この発明の具体例斜視図
【図２】この発明の具体的側面図
【符号の説明】
【００１１】
１１  表面写真１
１２  粘土・樹脂質２
１３  凹凸部分３
【図１】
2010124949.tif 000003
【図２】
2010124949.tif 000004
(57)【要約】【課題】器具を用いず容器蓋上面に嵌め込まれたパネル部分を着脱出来、且つ使用時に脱落せず、容器外観イメージの変更が容易な化粧品容器を提供する。【解決手段】容器蓋にはパネル嵌め込み用穴及びパネル取り外し用切込みを備え、容器蓋上面に嵌め込まれるパネルにはパネル嵌め込み用ツメ及びパネル取り外し用突起を備えることを特徴とする、容器蓋上面に着脱可能なパネルが嵌め込まれている化粧品容器。【選択図】  図２
2010124953.tif 000002
【特許請求の範囲】
【請求項１】
容器蓋にはパネル嵌め込み用穴及びパネル取り外し用切込みを備え、容器蓋上面に嵌め込まれるパネルにはパネル嵌め込み用ツメ及びパネル取り外し用突起を備えることを特徴とする、容器蓋上面に着脱可能なパネルが嵌め込まれている化粧品容器。
【発明の詳細な説明】
【技術分野】
【０００１】
本発明は、容器蓋上面に着脱可能なパネルが嵌め込まれている化粧品容器に関するものである。
【背景技術】
【０００２】
従来の化粧品容器は、外観の変更が不可能な形状、もしくは器具を用いて容器蓋上面に嵌め込まれたパネルを交換する形状がある（特許文献１）。
【特許文献１】特開２００４−１５４２８４号公報
【発明の開示】
【発明が解決しようとする課題】
【０００３】
従来の化粧品容器は、容器蓋上面に嵌め込まれたパネルが使用時に容器蓋から脱落しないようにする目的で、容器蓋とパネルは一体化もしくはフック、ネジ等で固定されている。その為、パネルの交換には器具を用いなければならず、使用者が容易に容器外観イメージを変えることを妨げていた。
【０００４】
しかしながら、使用者は嗜好に応じた容器外観イメージの選択及び変更を求めている。
【０００５】
本発明は上記課題に鑑みて創案されたもので、器具を用いず容器蓋上面に嵌め込まれたパネル部分を着脱出来、且つ使用時に脱落せず、容器外観イメージの変更が容易な化粧品容器を提供することを目的とする。
【課題を解決するための手段】
【０００６】
本発明は、容器蓋にはパネル嵌め込み用穴及びパネル取り外し用切込みを備え、容器蓋上面に嵌め込まれるパネルにはパネル嵌め込み用ツメ及びパネル取り外し用突起を備えることを特徴とする、容器蓋上面に着脱可能なパネルが嵌め込まれている化粧品容器である。
容器蓋上面に嵌め込まれる透明及び／又は加飾されたパネルは、器具を用いず着脱出来、且つ使用時に脱落しない。
これにより、使用者は、パネルと蓋の間に挟みこまれた紙片状のものを容易に変更することが出来る。又、加飾されたパネルを使うことにより立体的な形状に変更する事が可能になる。以上により使用者は容易に嗜好に応じた容器外観の選択及び変更が可能になる。
【発明を実施するための最良の形態】
【０００７】
以下に本発明の一実施形態（角型コンパクト化粧品容器）を、図１及び２を用いて説明する。蓋を具備する化粧品容器であれば特にこの形状に限定されるものではない。
本実施形態の化粧品容器は、図１に示すように容器蓋A、パネルB、容器中枠C、容器本体D、容器開閉用留め具E、鏡F(容器蓋A裏)、容器本体Dと容器蓋Aの結合用ピンG、及び変更可能なデザインシートHから主に構成される。
【０００８】
容器蓋Aは、パネルBを嵌め込むように外周部Mを持ち、中央部にデザインシートHを挟み込む空間を持つ。容器蓋Aの材質は、一般的に化粧品容器に使用される材質であれば特に限定されず透明・不透明、着色、加飾の有無は特に限定しない。容器蓋Aの形状は、本実施形態においては角型で形成されているが、多角形状や円形状であってもよい。容器蓋Aの裏面には鏡Fが取り付けられているが鏡Fの有無は特に限定しない。
【０００９】
容器蓋Aと一体化している外周部Mは、パネルBの大きさに対応している。
外周部Mには、パネル取り外し用切込みLを2箇所持つ。又、外周部Mの内壁は、パネルBを固定するためにパネル嵌め込み穴 Kを4箇所持つ。
パネル嵌め込み用ツメJとパネル嵌め込み穴Kは、位置、サイズが対応している。
パネル取り外し用突起I及び切り込みLは、位置、サイズが対応している。
【００１０】
パネルBは、パネル取り外し用突起Iを２箇所及びパネル嵌め込み用ツメJを4箇所持つ。パネルBの材質は、一般的に化粧品容器に使用される材質であれば特に限定せず、透明・不透明、着色、加飾の有無は特に限定しない。パネルBの形状は、本実施形態においては角型で形成されているが、多角形状や円形状であってもよい。
【００１１】
容器中枠C、容器本体D、容器開閉止め具E、鏡F、ピンGの材質は、一般的に化粧品容器に使用されている材質であれば特に限定しない。形状も一般的な形状であれば限定しない。
【００１２】
デザインシートHは、使用者の嗜好に応じて自由に選べるようにさまざまなものが適用される。材質は、容器の材質を犯さなければ限定しない。形状及び厚みは、容器蓋Aに備わった空間に納まるサイズに限られる。
【００１３】
図２にパネルBの着脱方法を示す。
容器蓋AとパネルBの位置を合わせ、パネルBを上から押すことにより4箇所のパネル嵌め込み用ツメJとパネル嵌め込み用穴Kは嵌合し、パネルB は、容器蓋Aに固定され通常使用で外れることは無くなる。このときのパネル嵌め込み用ツメJの長さは、0.01〜1.00mmが適している。これ以上短いと通常使用時にパネルBがはずれ、これ以上長いと器具を使わないとパネルBを取り外せなくなる。
又、パネルBに有るパネル取り外し用突起Iを嵌合している以上の力で持ち上げることによりパネル嵌め込み用ツメJはパネル嵌め込み用穴Kから外れ、パネルB は、取り外すことが出来る。パネル取り外し用突起Iの長さは、容器蓋Aにある切り込みLから0〜2.00mm出ているのが適している。これ以上大きいと通常使用時にパネルBがはずれ、これ以上小さいと器具を使わないとパネルBを取り外せなくなる。
【図面の簡単な説明】
【００１４】
【図１】本発明の一実施形態（角型コンパクト化粧品容器）を示す図である。
【図２】本発明の化粧品容器におけるパネルの着脱方法を示す図である。
【符号の説明】
【００１５】
A 容器蓋
Bパネル
C 容器中枠
D 容器本体
E 容器開閉用止め具
F 鏡（容器蓋裏面）
Gピン
H デザインシート
Iパネル取り外し用突起
Jパネル嵌め込み用ツメ 
K パネル嵌め込み用穴
L パネル取り外し用切り込み
M 外周部
【図１】
2010124953.tif 000003
【図２】
2010124953.tif 000004
(57)【要約】【課題】植木鉢の盗難を防止するための、盗難防止具を提供する。【解決手段】円形枠の一部に軸を設け、軸の先端に穴を有する環体を設け、円形枠を植木鉢の土に埋める。環体の穴にロープを貫通させ、他の鉢とつなぐ。【選択図】図２
2010124820.tif 000002
【特許請求の範囲】
【請求項１】
円形枠の一部に軸を直立させ、軸の先端に穴を有する環体を設け、円形枠を植木鉢の土の中に埋め、軸の先端の穴にロープを貫通させ他の植木鉢とつなぐ。以上よりなる植木鉢盗難防止具。
【発明の詳細な説明】
【技術分野】
【０００１】    本発明は、植木鉢を盗難から防止するための植木鉢盗難防止具に関するものである。
【背景技術】
【０００２】従来、植木鉢は屋外の庭や棚などに置くことが多い。
【発明の開示】
【発明が解決しようとする課題】
【０００３】そのために、つぎのような問題点が有った。植木鉢は、大小を問わず単体であるため、屋外などに置いたとき、容易に盗難に合う事が多かった。
【課題を解決するための手段】
【０００４】円形枠の一部に軸を設け、軸の先端に穴を有する環体を設け、円形枠を植木鉢の土に埋める。環体の穴にロープを貫通させ、他の植木鉢とつなぐ。
【発明の効果】
【０００５】ロープで植木鉢を固定体や他の植木鉢などとつなぐ事により、盗難を防止する事が出来る。
【発明を実施するための最良の形態】
【０００６】  以下、本発明の実施の状態を説明する。
（イ）円形枠（１）の上面に軸（２）を垂直に立てて設ける。
（ロ）軸（２）の途中にフック部（３）を設ける。
（ハ）軸（２）の先端に穴（５）を有する環体（４）を設ける。
本発明は、以上の構成よりなりたっている。
本発明を使用するときは、上記の盗難防止具の円形枠（１）と軸（２）の部分を、植木鉢（６）の中に、花（９）や土（７）と一緒に埋め、軸（２）の環体（４）の穴（５）にロープ（８）を通し、他の鉢とつなぐことで、花や植木鉢を盗難から防止する事が出来る。
【図面の簡単な説明】
【０００７】
【図１】本体の斜視図
【図２】本発明の使用状態を示す斜視図
【符号の説明】
【０００８】１  円形枠
２  軸
３  フック部
４  環体
５  穴
６  鉢
７  土
８  ロープ
９  花
【図１】
2010124820.tif 000003
【図２】
2010124820.tif 000004